(57)【要約】【課題】パンフレット類収納ケースにおいて、収納ケース内に雨水等が浸入するのを防止しつつ、収納されたパンフレット類を取り出しやすくする。【解決手段】底壁１１ａとその周縁から立ち上がる周壁１１ｂ、１１ｃ、１１ｄとからなり、開口からパンフレット類３０を収納する収納ケース本体１１と、収納ケース本体１１の開口に当接する蓋１２と、蓋１２に回動可能に連結され、収納ケース本体１１の開口に蓋１２を当接させた際に生じる隙間１１ｅを覆う遮蔽部材１５とからパンフレット類収納ケース１０を構成する。このように隙間１１ｅを形成すると、隙間１１ｅから指を差し込むことができるため、パンフレット類３０が取り出しやすい。その際に、遮蔽部材１５は指により押し上げられるため、パンフレット類３０を取り出す際の障害とはならない。指を隙間１１ｅに差し込まない状態では、隙間１１ｅを遮蔽部材１５が覆っているため、雨水等が収納ケース１０内に浸入することはない。【選択図】図４
0003115316.tif 000002
【実用新案登録請求の範囲】
【請求項１】
底壁１１ａと、その周縁から立ち上がる上端に段差が形成された周壁１１ｂ、１１ｃ、１１ｄとからなり、周壁１１ｂ、１１ｃ、１１ｄ上端により形成される開口からパンフレット類を収納する収納ケース本体１１と、前記収納ケース本体１１の開口に当接する蓋１２と、前記収納ケース本体１１又は蓋１２に連結され、収納ケース本体１１の開口に蓋１２を当接させた際に生じる隙間１１ｅを覆う押し退け可能な遮蔽部材１５とからなるパンフレット類収納ケース。
【請求項２】
上記収納ケース本体１１は、方形の底壁１１ａとその周縁から立ち上がる前周壁１１ｂと側周壁１１ｃと後周壁１１ｄとからなり、前周壁１１ｂは側周壁１１ｃより低く形成される請求項１に記載のパンフレット類収納ケース。
【請求項３】
上記蓋１２は、収納ケース本体１１開口に当接する上板１２ａと、前記上板１２ａから垂下し、収納ケース本体１１の側周壁１１ｃに当接する側板１２ｂとからなる請求項２に記載のパンフレット類収納ケース。
【請求項４】
上記収納ケース本体１１の側周壁１１ｃは、後方から前方に向かい次第に高さが低くなるように形成された請求項２又は３に記載のパンフレット類収納ケース。
【請求項５】
上記遮蔽部材１５は、上記蓋１２に回動可能に連結された請求項１から４のいずれかに記載のパンフレット類収納ケース。
【請求項６】
上記蓋１２に回動可能に連結された遮蔽部材１５の下端に、錘部１５ａを設けた請求項５に記載のパンフレット類収納ケース。
【請求項７】
上記錘部１５ａは、遮蔽部材１５の下端の肉厚を厚くすることにより形成される請求項６に記載のパンフレット類収納ケース。
【請求項８】
上記遮蔽部材１５を可撓性素材で形成した請求項１から７のいずれかに記載のパンフレット類収納ケース。
【請求項９】
上記収納ケース本体１１の周壁後ろ側に、１又は複数の弾性部材１３を取り付けた請求項１から８のいずれかに記載のパンフレット類収納ケース。
【請求項１０】
上記収納ケース本体１１の周壁後ろ側に複数取り付けられた弾性部材１３の端部同士を板状体１３ｃで連結した請求項９に記載のパンフレット類収納ケース。
【請求項１１】
上記蓋１２を収納ケース本体１１の開口に回動可能に連結した請求項１から１０のいずれかに記載のパンフレット類収納ケース。
【請求項１２】
上記蓋１２と収納ケース本体１１とをテープ１２ｄにより連結した請求項１１に記載のパンフレット類収納ケース。
【請求項１３】
上記テープ１２ｄは軟質合成樹脂製である請求項１２に記載のパンフレット類収納ケース。
【請求項１４】
上記蓋１２の、収納ケース本体１１との連結部分から外側の一部又は全部を下方に屈曲させた請求項１１から１３のいずれかに記載のパンフレット類収納ケース。
【請求項１５】
収納スタンド２０から収納ケース１０が抜け出すことを防止するための抜け止め材４０を取り付け可能な取り付け片１４を、収納ケース本体１１の底壁１１ａ裏面に連結して設けた請求項１から１４のいずれかに記載のパンフレット類収納ケース。
【請求項１６】
上記取り付け片１４を、収納ケース本体１１の底壁１１ａ裏面に回動可能に連結した請求項１５に記載のパンフレット類収納ケース。
【請求項１７】
上記取り付け片１４は、舌片にねじ孔１４ａが設けられてなる請求項１５又は１６に記載のパンフレット類収納ケース。
【請求項１８】
収納ケース本体１１および蓋１２のいずれか一方又は双方は透明である請求項１から１７のいずれかに記載のパンフレット類収納ケース。
【請求項１９】
収納ケース本体１１および蓋１２のいずれか一方又は双方は硬質合成樹脂製である請求項１から１８のいずれかに記載のパンフレット類収納ケース。
【考案の詳細な説明】
【技術分野】
【０００１】
この考案はパンフレット類を収納するケースに関し、より詳しくはパンフレットスタンド等の収納スタンドの収納部に収納するケースに関する。
【背景技術】
【０００２】
図６のように、パンフレット、チラシ、フライヤー等の広告宣伝のために配布される冊子(以下、パンフレット類と称する。)３０は、いわゆるパンフレットスタンドに代表される収納スタンド２０の収納部２１に入れられ、これを店頭や交差点など人の集まる場所に設置し、自由に持ち帰ることができるようになっている。  
【０００３】
ところで従来の場合、パンフレット類３０は、収納スタンド２０の収納部２１に直に入れられるか、あるいは簡易なフィルム包装を施して入れられていることが多かった。
【０００４】
しかし、このようなパンフレット類３０がむき出しまたはむき出しに近い状態では、にわか雨が降るなどした場合には、濡れないように、急いで収納スタンド２０を店内に収容したり、ビニールシートを被せたりせねばならず煩雑であった。そして、収納スタンド２０を収容し忘れたり、ビニールシートを被せ忘れたりすると、パンフレット類３０は濡れてしまい廃棄処分せねばならず無駄が多かった。
【０００５】
そこで、特許文献１に記載されているように、開口した上端からパンフレット類３０を収納する箱状の収納ケース本体と、前記収納ケース本体の開口を覆う蓋とからなるパンフレット類収納ケースが提案されている。
【特許文献１】登録実用新案第３０３２４８３号公報（第１−４図）
【０００６】
このようなパンフレット類収納ケースにパンフレット類３０を収納した上で、収納スタンド２０の収納部２１に入れれば、収納ケースが雨水等を遮るため、パンフレット類３０が濡れる心配はなくなる。
【０００７】
しかし、収納ケース本体開口を蓋で完全に塞いでしまうと、収納ケース内に指を差し込みにくく、パンフレット類３０を取り出しにくい。その一方で、指を差し込みやすいように、蓋と収納ケース本体との間に隙間を形成し、その隙間をむき出しの状態にしておくと、パンフレット類３０は取り出しやすくなるものの、隙間から雨水等が収納ケース内に浸入する可能性があり、その結果、収納ケースの雨水等の遮蔽効果は減じられる。
【考案の開示】
【考案が解決しようとする課題】
【０００８】
そこでこの考案の解決すべき課題は、パンフレット類収納ケースにおいて、収納ケース内に雨水等が浸入するのを防止しつつ、収納されたパンフレット類を取り出しやすくすることである。
【課題を解決するための手段】
【０００９】
上記した課題を解決するため、この考案にかかるパンフレット類収納ケースの蓋と収納ケース本体との間に隙間を形成するとともに、その隙間を押し退け可能な遮蔽部材で覆ったのである。
【００１０】
より具体的には、パンフレット類収納ケースを、底壁とその周縁から立ち上がる上端に段差が形成された周壁とからなり、周壁上端により形成される開口からパンフレット類を収納する収納ケース本体と、収納ケース本体の開口に当接する蓋と、収納ケース本体又は蓋に連結され、収納ケース本体の開口に蓋を当接させた際に生じる隙間を覆う押し退け可能な遮蔽部材とから構成した。
【００１１】
このように、収納ケース本体の周壁上端に段差が形成されていると、開口に蓋を当接させた場合に隙間ができる。そのため、この隙間に指を差し込むことにより、容易にパンフレット類を取り出すことができる。その際に、遮蔽部材は押し退け可能であるため、パンフレット類取出しの障害とはならない。また、指を差し込まない状態では、隙間からの雨水等の収納ケース内部への浸入は遮蔽部材により遮られるため、パンフレット類が濡れることはない。
【００１２】
なお、ここでいうパンフレット類とは、パンフレット、チラシ、フライヤーなど宣伝広告の目的をもって配布される冊子全般を指す。また、ここで隙間を覆うとは、必ずしも水密に覆うことは意味せず、通常の降雨量における隙間からの雨水の収納ケース内部への浸入を防止する程度に覆うことを意味する。
【００１３】
収納ケース本体は、方形の底壁と、その周縁から立ち上がる前周壁と、側周壁と、後周壁とからなる立方体状に形成すると、パンフレット類を曲げたりせずにそのままの形で収納することができる。また、前周壁を側周壁より低くすると、開口に蓋を当接させると前周壁上方に隙間が形成されるため、前から指を差し込みやすく、パンフレット類を取り出しやすい。
【００１４】
収納ケース本体が立方体状の場合において、蓋を、収納ケース本体の開口に当接する上板と、上板から垂下し、収納ケース本体の側周壁に当接する側板とから構成すると、側板が横方向からの雨水等の収納ケースへの浸入を阻止する。
【００１５】
同じく収納ケース本体が立方体状の場合において、収納ケース本体の側周壁を、後方から前方に向かい次第に高さが低くなるように形成すると、側周壁に蓋を当接させた場合には、前方が後方より低い位置に来るように傾斜した状態となるため、雨水等が蓋に降り注いでも、後方から前方に向かい速やかに排出される。
【００１６】
遮蔽部材を、蓋に回動可能に連結すると、隙間に指を差し込む際に押し上げられるため、簡単な構造で押し退け可能に構成することができる。この場合に、遮蔽部材の下端に錘部を設けると、隙間から指を抜いた際に、錘部の重みで遮蔽部材が速やかに蓋から垂れ下がり隙間を塞ぐため、指を抜き差しする際にも、雨水等の遮蔽に万全を期すことができる。ここで錘部は、遮蔽部材の下端の肉厚を厚くすることにより形成すると、一体成形することができ、その場合には製造が容易である。
【００１７】
また、遮蔽部材を可撓性素材から形成すると、隙間に指を差し込むと撓んで押し退けられるため、簡易かつ低コストで遮蔽部材を押し退け可能に構成することができる。
【００１８】
収納ケース本体の周壁後ろ側に１又は複数の弾性部材を取り付けると、その弾性により収納ケースが収納スタンドの収納部内において前方に押し出されるため、パンフレット類を取り出しやすくなる。また、収納ケース本体が収納部の前部に押し付けられるため、収納ケースのがたつきを抑え、収納スタンドからの収納ケースの抜け出しを抑えることができる。また、複数の弾性部材の端部同士を板状体で連結すると、収納スタンドの収納部の底が浅く、弾性部材が収納部後部に当接しない場合であっても、板状体の下方を収納部後部に当接させることにより、収納ケースを前方に押し出すことが可能となる。
【００１９】
蓋を収納ケース本体の開口に回動可能に連結すると、隙間に差し込んだ指で蓋を押し上げ上方へ向けて回動させることができ、蓋の開け閉めが容易となる。また、蓋と収納ケース本体とをテープにより連結すると、簡易かつ低コストに回動可能な連結を実現できる。このテープを軟質合成樹脂製とすると、連結部分が水密になるため、連結部分から雨水等が浸入する心配がない。
【００２０】
蓋の収納ケース本体との連結部分から外側の一部又は全部を下方に屈曲させると、蓋を一定程度押し上げると、屈曲部分が収納ケース本体の周壁に当接しそれ以上の回動が規制され、その後手を離すことにより、蓋が自動的に閉じるため使い勝手がよい。
【００２１】
収納ケース本体の底壁裏面に連結される取り付け片を設けると、取り付け片に抜け止め材を取り付けることにより、収納スタンドからパンフレット類収納ケースが抜け出るのを防止することができる。
【００２２】
この取り付け片を収納ケース本体の底壁に回動可能に連結しておくと、収納スタンドの収納部の底面が平板であるなど、抜け止め材を用いることができない場合には、取り付け片を折りたたむことができ、邪魔にならず便利である。
【００２３】
また、取り付け片を、舌片にねじ孔が設けられた構成とすると、抜け止め材としてねじ棒を選択し、これをねじ孔にねじ合わせることで、抜け止め材たるねじ棒が取り付け片から抜け落ちる心配がないため、収納スタンドからの収納ケースの抜け出し防止に万全を期すことができる。
【００２４】
収納ケース本体および蓋のいずれか一方又は双方を透明とすると、収納ケース内のパンフレット類が外部から見分けられるため便利である。なお、ここで透明とは、半透明も含み、着色されている場合も含む概念である。
【００２５】
収納ケース本体および蓋のいずれか一方又は双方を硬質合成樹脂製とすると、安価であり、軽量であり、頑丈な収納ケースとすることができる。
【考案の効果】
【００２６】
蓋を閉じた場合に、収納ケース本体と蓋との間に隙間ができるため、隙間に指を差し込んで容易にパンフレット類を取り出すことができる。そのうえ、隙間が遮蔽部材で覆われているため、隙間から雨水等が収納ケースに浸入せず、パンフレット類が濡れることはない。
【考案を実施するための最良の形態】
【００２７】
以下、図面を参照しつつこの考案の実施形態について説明する。まず、この考案にかかるパンフレット類収納ケース１０の各部位１１〜１５について説明する。
【００２８】
図１(ａ)、(ｂ)のように、収納ケース１０は、収納ケース本体１１と、蓋１２と、２つの弾性部材１３と、取り付け片１４と、遮蔽部材１５とからなる。
【００２９】
さらに詳細に見れば図示のように、収納ケース本体１１は、方形の底壁１１ａと、その周縁から真上に向かい立ち上がる前周壁１１ｂと、２つの側周壁１１ｃと、後周壁１１ｄとから水密に形成され、これら周壁１１ｂ、１１ｃ、１１ｄの上端が開口となる。側周壁１１ｃ上端は、側周壁１１ｃの高さが後方から前方に向かい次第に低くなるように傾斜しており、前周壁１１ｂは、側周壁１１ｃより低く形成されているため、前周壁１１ｂと側周壁１１ｃの上端には段差がある。なお、収納ケース本体１１は、収納スタンド２０の収納部２１に収納可能な大きさに形成されていることは無論である。
【００３０】
また図示のように、蓋１２は、上板１２ａと、上板１２ａ両側端から真下に延びる側板１２ｂと、上板１２ａ後端から下方に屈曲して延びる止片１２ｃとからなり、上板１２ａは後方をやや余らせた状態で、収納ケース本体１１の後周壁１１ｄに軟質塩化ビニルのテープ１２ｄで回動可能に連結されている。
【００３１】
そして、上板１２ａは収納ケース本体１１の側周壁１１ｃの傾斜する上端に沿って、前方が後方より低い位置に来るように傾斜した状態で収納ケース本体１１の開口に当接する。このため、上板に振り注いだ雨水等は、後方から前方に向かい速やかに排出される。この際図示のように、上板１２ａの前端は庇状に突き出ているため、収納ケース本体１１が濡れることはない。
【００３２】
また、側板１２ｂは収納ケース本体１１の側周壁１１ｃ外面に当接し、横方向から雨水等が収納ケース１０内に浸入するのを防止できるようになっている。さらに、収納ケース本体１１と蓋１２とはテープ１２ｄにより連結されており、連結部分から収納ケース１０内に雨水等が浸入するのを防止できるようになっている。
【００３３】
上述したように収納ケース本体１１の前周壁１１ｂと側周壁１１ｃの上端には段差が形成される。そのため、蓋１２を閉じた場合に、蓋１２は側周壁１１ｃと後周壁１１ｄの上端には当接するが、前周壁１１ｂ上端には当接せず、蓋１２と前周壁１１ｂの間に隙間１１ｅが形成される。
【００３４】
図示のように、隙間１１ｅの前方に、蓋１２の上板１２ａにテープやヒンジ等により回動可能に連結された遮蔽部材１５が蓋１２から垂れ下がっている。ここで、遮蔽部材１５の下端は肉厚部１５ａとなっている。このように隙間１１ｅの前方に遮蔽部材１５が位置するため、遮蔽部材１５により雨水等が遮られ、隙間１１ｅから収納ケース１０内に浸入する恐れはない。
【００３５】
また図示のように、弾性部材１３は板ばね状体であり、収納ケース本体１１の後周壁１１ｄ壁面に接着剤で固定された基部１３ａと、基部１３ａから斜め上後方に屈曲して延びる弾性部１３ｂとからなる。
【００３６】
さらに図示のように、収納ケース本体１１の底壁裏面両側には、ねじ孔１４ａの設けられた取り付け片１４が回動可能に連結されている。
【００３７】
なお、収納ケース本体１１と弾性部材１３の固定は接着剤に替えてボルト等の他の固定手段により行ってもよいことは無論である。加えて、弾性部材１３の数は勿論２つに限られることはなく、上記した板ばね状の弾性部材１３に替えてスプリング等の他の弾性部材を用いてもよい。
【００３８】
図２のように、このようなパンフレット類収納ケース１０を用いる際には、パンフレット類収納ケース１０にパンフレット、チラシ、フライヤーなどのパンフレット類３０を入れ、収納スタンド２０の収納部２１に上部からスライドさせて押し込む。この場合に、収納ケース１０の寸法を、パンフレット類３０を折り曲げずに収納できる大きさとしておくとよい。
【００３９】
なおこの場合において、パンフレット類３０が外からよく見えるように、収納ケース本体１１と蓋１２と遮蔽部材１５とは、いずれも透明性のある硬質の合成樹脂、たとえばアクリル製であるのが好ましい。硬質の合成樹脂製とすれば安価であるし、軽量であるし、強度も十分である。弾性部材１３も同様に適度な弾性を有するものとして合成樹脂製であるのが好ましい。  
【００４０】
図３(ａ)のように、収納スタンド２０の収納部２１に収納ケース１０を押し込むと、弾性部材１３の撓んだ弾性部１３ｂの復元弾性により、収納ケース１０は収納部２１の前部２１ａ側に押し出される。そのため、収納されたパンフレット類を取り出しやすくなる。また、収納部２１の前部２１ａに収納ケース本体１１が押し付けられるため、収納部２１内における収納ケース１０のぐらつきを抑えることができる。また、パンフレット類３０を抜き取る際には、収納ケース１０に上向きの力が加わるが、収納部２１の前部２１ａに押し付けられているため、収納スタンド２０から抜け出しにくい。
【００４１】
また図３(ｂ)のように収納スタンド２０の収納部２１の後部２１ｂの高さが低い場合には、２つの弾性部１３ｂの外端同士を補助板１３ｃで連結しておくと、補助板１３ｃの下部が収納部２１の後部２１ｂに当接し、上述したのと同様の効果を得ることができる。  
【００４２】
次に、収納ケース１０からパンフレット類３０を取り出す際の収納ケース１０の各部位の動作等を説明する。
【００４３】
図４(ａ)のように、隙間１１ｅから収納ケース１０に指を差し込もうとすると、蓋１２から垂れ下がった遮蔽部材１５が指に当たる。しかし、遮蔽部材１５は蓋１２に回動可能に連結されているため、図４(ｂ)のように押し上げられて、上方に向けて回転する。そのため、隙間１１ｅに指を差し込んでパンフレット類３０をつまむ際の障害とはならない。そして、図４(ｃ)のように、パンフレット類３０を取り出し終わると、また従前のように垂れ下がるため、隙間１１ｅは再び覆われて雨水が浸入する恐れはない。この際遮蔽部材１５の下端は肉厚部１５ａとなっているためその重みにより速やかに垂れ下がり、指の抜き差し前後における雨水等の収納ケース１０への浸入を防ぐこととなる。
【００４４】
なお、この実施形態では遮蔽部材１５を蓋１２に対して回動可能に連結しているが、これに限られず、遮蔽部材１５を軟質合成樹脂等の可撓性素材から形成し、隙間１１ｅを覆うように蓋１２又は収納ケース本体１１に連結すると、回動可能に連結しなくとも、指で触れると撓んで押し退けられるため、この考案の目的は達せられる。
【００４５】
上記したパンフレット類３０の取り出し動作において、蓋１２を押し上げたと同時に、収納ケース１０全体が押し上げられ、収納部２１から抜け出してしまわないように、図２のように、取り付け片１４のねじ孔１４ａに、長さが収納部の横幅寸法よりも長く、外周面に雄ねじが設けられたねじ棒４０をねじ合わせ固定しておけばよい。このようにすれば、収納ケース１０が押し上げられそうになっても、ねじ棒４０が収納部２１底面にぶつかるため、収納スタンド２０から抜け出るのが防止される。
【００４６】
なお、収納部２１底部が、上述したような線材を折り曲げてなるものではなく、気密な板状体からなる場合には、抜け止めのためのねじ棒４０は用いることができないが、取り付け片１４は、折りたたんでおけば邪魔にはならない。
【００４７】
また、この実施形態ではねじ孔１４ａにねじ棒４０をねじ合わせることで固定していたがこれに限られず、取り付け片１４にねじを切っていない孔を設け、両端を屈曲させるなどして孔から容易に脱落しないようにした棒を、単に差し込むことにより抜け止めとしても構わない。
【００４８】
蓋１２の上板１２ａは、収納ケース本体１１の後周壁１１ｄ上端にテープ１２ｄで連結されている。そのため、上記した隙間１１ｅに指を入れ前方から蓋１２を押し上げると蓋体１２はテープ１２ｄを中心とした回転動作を行う。ここで図５のように、上板１２後端から下方に屈曲する止片１２ｃが延びているため、一定以上蓋１２を回動させると止片１２ｃが収納ケース本体１１の後周壁１１ｄ外面に当接することにより、蓋１２のそれ以上後方への回動が規制されるとともに、パンフレット類３０を抜き取り終わると蓋１２は自動的に閉じる。
【図面の簡単な説明】
【００４９】
【図１（ａ）】収納ケースを前方より見た場合の斜視図
【図１（ｂ）】収納ケースを後方より見た場合の斜視図
【図２】収納ケースの使用状態の斜視図
【図３】(ａ)、(ｂ)弾性部材が収納ケースを前方に押し出す模式図
【図４】(ａ)〜(ｃ)収納ケースからパンフレットを取り出す際の動作図
【図５】蓋の動作図
【図６】収納スタンドの斜視図
【符号の説明】
【００５０】
１０  パンフレット類収納ケース
１１  収納ケース本体
１１ａ  底壁
１１ｂ  前周壁
１１ｃ  側周壁
１１ｄ  後周壁
１１ｅ  隙間
１２  蓋
１２ａ  上板
１２ｂ  側板
１２ｃ  止片
１２ｄ  軟質塩化ビニルテープ
１３  弾性部材
１３ａ  基部
１３ｂ  弾性部
１３ｃ  補助板
１４  取り付け片
１４ａ  ねじ孔
１５  遮蔽部材
１５ａ  肉厚部
２０  収納スタンド
２１  収納部
２１ａ  前部
２１ｂ  後部
３０  パンフレット類
４０  ねじ棒
【図１（ａ）】
0003115316.tif 000003
【図１（ｂ）】
0003115316.tif 000004
【図２】
0003115316.tif 000005
【図３】
0003115316.tif 000006
【図４】
0003115316.tif 000007
【図５】
0003115316.tif 000008
【図６】
0003115316.tif 000009